(57)【要約】      （修正有）【課題】装飾物が揺動し易い装身具を提供する。【解決手段】装飾物１２を保持し両側部に支持穴３４，４０が形成された支持部材１４と、前記支持部材１４の外側に設けられ前記支持穴３４，４０と対向する位置に貫通穴２４，２６が形成された枠部材１６と、前記枠部材１６の外側から前記貫通穴２４，２６へ挿通され前記支持穴３４，４０へ挿入される支持軸１８と、前記支持軸１８の長手方向に沿って形成され、前記支持穴３４，４０の穴壁の上面を支持する角部４２と、を有する装身具１０。【選択図】図２
2018007951.tif 000002
【特許請求の範囲】
【請求項１】
装飾物を保持し両側部に支持穴が形成された支持部材と、
前記支持部材の外側に設けられ前記支持穴と対向する位置に貫通穴が形成された枠部材と、
前記枠部材の外側から前記貫通穴へ挿通され前記支持穴へ挿入される支持軸と、
前記支持軸の長手方向に沿って形成され、前記支持穴の穴壁の上面を支持する角部と、
を有する装身具。
【請求項２】
前記支持穴の内径寸法を奥側へ向かうに従って大きくなるように設定した請求項１記載の装身具。
【請求項３】
前記支持軸の断面を菱形形状に形成するとともに前記支持穴を楕円形状に形成し、前記菱形形状の長手方向の対角線を前記楕円形状の短軸方向の内径寸法より長く設定した請求項１又は２記載の装身具。
【請求項４】
前記角部で支持される前記支持穴の支持位置は、前記装飾物を保持した前記支持部材の重心より上方に位置している請求項１から請求項３のいずれかに記載の装身具。 
【発明の詳細な説明】
【技術分野】
【０００１】
本発明は、装飾物を備えた装身具に関する。
【背景技術】
【０００２】
従来、枠組部材に宝石を揺動可能に支持した装身具が知られている（例えば、特許文献１参照）。
【０００３】
この装身具では、宝石の支持部材から円柱状の回転棒が側方へ向けて延出しており、枠部材には、回転棒が挿入される凹部が形成されている。この凹部は、円形に形成されており、凹部は、奥側へ向かうに従って内径が小さくなるように形成されている。
【０００４】
これにより、凹部の内壁面は傾斜しており、内壁面と回転棒の先端部との接点を小さくして宝石が揺動し易く輝いて見えるように構成されている。
【先行技術文献】
【特許文献】
【０００５】
【特許文献１】特開２０１３−１６３０３９号公報
【発明の概要】
【発明が解決しようとする課題】
【０００６】
しかしながら、このような装身具にあっては、宝石の荷重が加えられる回転棒は、凹部の内壁面に支持されており、この円柱状の回転棒が接する内壁面は下方へ窪むように湾曲している。このとき、回転棒が内壁面に沿って転がることで宝石が揺動するが、揺動時には、回転棒が湾曲した内壁面に沿って上るための力を要する。
【０００７】
これにより、宝石の揺動が抑制され、宝石が揺動し難いという問題があった。
【０００８】
本発明は、装飾物が揺動し易い装身具を提供することを目的とする。
【課題を解決するための手段】
【０００９】
第一の態様の装身具は、装飾物を保持し両側部に支持穴が形成された支持部材と、前記支持部材の外側に設けられ前記支持穴と対向する位置に貫通穴が形成された枠部材と、前記枠部材の外側から前記貫通穴へ挿通され前記支持穴へ挿入される支持軸と、前記支持軸の長手方向に沿って形成され、前記支持穴の穴壁の上面を支持する角部と、を有する。
【００１０】
すなわち、支持穴の穴壁の上面を支持軸の角部で支持することで、支持状態が不安定となる。このため、枠部材の少しの動きで支持部材が角部（支持点）を中心として揺れる。
【００１１】
また、支持軸を枠部材の外側から貫通穴へ挿通するので、支持部材から突出した支持軸を枠部材に形成された支持穴へ挿入する構成と比較すると、組付け加工が容易となる。
【００１２】
第二の態様の装身具は、前記支持穴の内径寸法を奥側へ向かうに従って大きくなるように設定した。
【００１３】
すなわち、支持穴の外側の開口縁部には、鋭角のエッジが形成され、支持軸の角部とエッジとが点接触する。これにより、枠部材に対する支持部材の揺動方向に自由度を持たせることができる。
【００１４】
第三の態様の装身具は、前記支持軸の断面を菱形形状に形成するとともに前記支持穴を楕円形状に形成し、前記菱形形状の長手方向の対角線を前記楕円形状の短軸方向の内径寸法より長く設定した。
【００１５】
これにより、支持穴に対する支持軸の１８０度を超える回動が阻止され、装飾物を保持した支持部材の裏返しを防止することができる。
【００１６】
第四の態様の装身具は、前記角部で支持される前記支持穴の支持位置は、前記装飾物を保持した前記支持部材の重心より上方に位置している。
【００１７】
これにより、装飾物を保持した支持部材の重心を支持位置より低くすることができるので、装飾物を保持した支持部材の裏返しを防止することができる。また、装飾物を保持した支持部材の重心と支持位置とが同高さの場合と比較して、揺動し易くなる。
【発明の効果】
【００１８】
本発明は上記構成としたので、装飾物が揺動し易くなる。
【図面の簡単な説明】
【００１９】
【図１】（Ａ）は第１実施形態の装身具を示す平面図、（Ｂ）は装身具を示す側面図、（Ｃ）は第２実施形態の装身具を示す側面図である。
【図２】第１実施形態の組み付け手順を示す説明図である。
【図３】（Ａ）は第１実施形態の支持部材を示す平面図であり、（Ｂ）は第1実施形態の支持部材の側面を示す一部断面図である。
【図４】（Ａ）は第１実施形態の支持軸の挿通部と支持穴との関係を示す要部の断面図であり、（Ｂ）は第３実施形態の平面を示す一部断面図である。
【図５】（Ａ）は第４実施形態の平面を示す一部断面図であり、（Ｂ）は第５実施形態の平面を示す一部断面図である。
【発明を実施するための形態】
【００２０】
以下、本発明の第１実施形態を図面に従って説明する。  図１（Ａ）（Ｂ）は、本実施形態に係る装身具１０を示す図であり、この装身具１０は、ネックレスを構成している。なお、本実施形態では、装身具１０がネックレスの場合について説明するが、ブレスレットなど他の装身具であってもよい。
【００２１】
この装身具１０は、装飾物１２を保持する支持部材１４と、支持部材１４の外側に設けられた枠部材１６と、枠部材１６に支持部材１４を支持する支持軸１８とを備えている。枠部材１６は、プラチナや銀などの金属製の円筒部材で形成されており、支持部材１４を包囲する円環状を成している。枠部材１６の上部には、リング部２０が設けられており、リング部２０には、チェーン２２が通されている。これにより、このチェーン２２を首にかけて使用できるように構成されており、本明細書では、チェーン２２を首に掛けた使用状態において、リング部２０の突出方向を上方Ｕとして各方向Ｄ，Ｒ，Ｌを示す。
【００２２】
なお、本実施形態では、枠部材１６の上部にチェーン２２を通すリング部２０を設けたが、図１（Ｃ）に示す第２実施形態のように、枠部材１６の上部に長穴１６Ａを設けるとともに、この長穴１６Ａにチェーン２２を通した構造であっても良い。
【００２３】
枠部材１６の右側面には、図２にも示すように、円形の右貫通穴２４が設けられている。右貫通穴２４は、枠部材１６の外周面側に設けられた大径部２４Ａと、枠部材１６の内周面側に設けられ大径部２４Ａより小径の小径部２４Ｂとによって構成されており、大径部２４Ａと小径部２４Ｂとの間には段差面２４Ｃが形成されている。大径部２４Ａと小径部２４Ｂとは連通しており、当該右貫通穴２４は、枠部材１６を貫通している。小径部２４Ｂの形状としては、成形性を考慮すると円形が挙げられ、組み付け時の取付方向性を優先した場合、後述する支持軸１８の挿通部１８Ｃの断面形状と同じ菱形形状とすることが望ましい。
【００２４】
枠部材１６の左側面には、当該枠部材１６の中心Ｃを境として右貫通穴２４と逆側に円形の左貫通穴２６が設けられている。左貫通穴２６は、枠部材１６の外周面側に設けられた大径部２６Ａと、枠部材１６の内周面側に設けられ大径部２６Ａより小径の小径部２６Ｂとによって構成されており、大径部２６Ａと小径部２６Ｂとの間には段差面２６Ｃが形成されている。大径部２６Ａと小径部２６Ｂとは連通しており、当該左貫通穴２６は、枠部材１６を貫通している。小径部２６Ｂの形状としては、成形性を考慮すると円形が挙げられ、組み付け時の取付方向性を優先した場合、後述する支持軸１８の挿通部１８Ｃの断面形状と同じ菱形形状とすることが望ましい。
【００２５】
装身具１０の内側に配置された支持部材１４は、金属製のお椀型の台座部２８を備えており、台座部２８は、円板状の底面２８Ａと、底面２８Ａの周縁より上方へ向かうに従って外方へ延出する周壁２８Ｂとを有している。この台座部２８には、装飾物１２の一例であるダイヤモンドを収容できるように構成されており、底面２８Ａには、ダイヤモンドの裏面突出部１２Ａを挿通する挿通穴２８Ｃが開設されている。これにより、ダイヤモンドの裏側から光を取り込んで輝きが増すように構成されている。
【００２６】
台座部２８の周壁２８Ｂからは、図３にも示したように、上方へ向けて突出した爪２８Ｄが四ヶ所に形成されており、各爪２８Ｄを内側に折曲することで台座部２８に収容されたダイヤモンドを保持できるように構成されている。
【００２７】
なお、本実施形態では、装飾物１２の一例としてダイヤモンドを挙げたが、これに限定されるものではなく、装飾物１２は、エメラルドやサファイアやルビーやオパールやキュービックジルコニアなど他の宝石でもよい。また、金やプラチナを加工した装飾物１２でもよい。
【００２８】
この台座部２８には、図２及び図３に示したように、右方Ｒへ向けて延出する右延出片３０が設けられており、右延出片３０の端部には、右支持壁３２が立設されている。右支持壁３２には、図４（Ａ）にも示すように、台座部２８の底面２８Ａに沿って長い楕円形状の右支持穴３４が設けられている。右支持穴３４は、図２に示したように、当該台座部２８を枠部材１６の内側に配置した状態で、右貫通穴２４に対応する部位に設けられており、右支持穴３４は、右方Ｒに位置する右貫通穴２４へ向けて開口している。
【００２９】
右支持穴３４の内径寸法ＤＲは、図３に示したように、支持部材１４外側である外面から台座部２８側の内面へ向かうに従って大きくなるように設定されており、右支持穴３４は、外側へ向かうに従って縮径している。これにより、右支持穴３４の外面側の開口縁部には、鋭角のエッジ３４Ａが形成されている。
【００３０】
この右支持穴３４は、右支持壁３２を貫通している。これにより、外側へ向かうに従って縮径する右支持穴３４を、右延出片３０の先端部を屈曲して右支持壁３２を起立する前や、右延出片３０に右支持壁３２を接合する前に内面側からプレスや穿孔によって形成できるように構成されている。
【００３１】
この台座部２８には、左方Ｌへ向けて延出する左延出片３６が、当該台座部２８の中心Ｃを境として右延出片３０と逆側に設けられており、左延出片３６の端部には、左支持壁３８が立設されている。左支持壁３８には、台座部２８の底面２８Ａに沿って長い楕円形状の左支持穴４０が設けられている（図４（Ａ）参照）。左支持穴４０は、図２に示したように、当該台座部２８を枠部材１６の内側に配置した状態で、左貫通穴２６に対応する部位に設けられており、左支持穴４０は、左方Ｌに位置する左貫通穴２６へ向けて開口している。
【００３２】
左支持穴４０の内径寸法ＤＬは、図３に示したように、支持部材１４外側である外面から台座部２８側の内面へ向かうに従って大きくなるように設定されており、左支持穴４０は、外側へ向かうに従って縮径している。これにより、左支持穴４０の外面側の開口縁部には、鋭角のエッジ４０Ａが形成されている。
【００３３】
この左支持穴４０は、左支持壁３８を貫通している。これにより、外側へ向かうに従って縮径する左支持穴４０を、左延出片３６の先端部を屈曲して左支持壁３８を起立する前や、左延出片３６に左支持壁３８を接合する前に内面側からプレスや穿孔によって形成できるように構成されている。
【００３４】
枠部材１６に支持部材１４を支持する支持軸１８は、図２に示したように、円柱状の支持軸本体１８Ａを備えており、支持軸本体１８Ａの先端面１８Ｂからは、角柱状の挿通部１８Ｃが延出している。この挿通部１８Ｃは金属製の円柱部材の先端部を切削加工して形成したり、支持軸本体１８Ａと共にプレス加工したりすることができ、挿通部１８Ｃと支持軸本体１８Ａとは一体形成されている。
【００３５】
支持軸本体１８Ａは、枠部材１６に設けられた各貫通穴２４、２６へ枠部材１６の外側から挿入して内嵌できる外形寸法に設定されている。また、先端面１８Ｂを各貫通穴２４、２６の段差面２４Ｃ、２６Ｃに当接した状態で、当該支持軸１８の挿入代を制限するとともに、基端面１８Ｄが枠部材１６の外周面と面一となる長さに設定されている。
【００３６】
支持軸本体１８Ａの先端面１８Ｂを段差面２４Ｃ、２６Ｃに当接した状態で、挿通部１８Ｃは、枠部材１６の内周面より突出するとともに、枠部材１６の内側に配置された支持部材１４の対応する支持穴３４、４０に挿入可能な長さに設定されている。
【００３７】
この挿通部１８Ｃは、断面菱形形状に形成されており、この菱形形状の長手方向の対角線が台座部２８の底面２８Ａに沿って延在した状態で、支持軸本体１８Ａの周面と対応する貫通穴２４、２６の内周面とが溶着され固定されている。これにより、支持部材１４を枠部材１６に支持した状態で、図４に示すように、挿通部１８Ｃの長手方向に設けられた角部の稜線部分が、挿通部１８Ｃの上側に位置する支持穴３４、４０の穴壁である内壁面３４Ｂ、４０Ｂに当接する当接部４２を構成している。
【００３８】
このとき、挿通部１８Ｃが挿入される支持穴３４、４０の外面側の開口縁部には、鋭角のエッジ３４Ａ，４０Ａが形成されており、挿通部１８Ｃの長手方向に延在する当接部４２が形成する稜線部分は、このエッジ３４Ａ，４０Ａに対して交差して当接する。これにより、挿通部１８Ｃの当接部４２と支持穴３４、４０のエッジ３４Ａ，４０Ａとが点接触した状態で、支持部材１４が枠部材１６に揺動自在に支持される。
【００３９】
このとき、支持部材１４の支持穴３４、４０は、図１に示したように、装飾物１２を保持した支持部材１４の重心Ｇより上方に設けられている。これにより、当接部４２で支持される支持穴３４、４０の支持位置は、支持部材１４の重心Ｇより上方に位置するように構成されている。
【００４０】
この当接部４２は、菱形形状の挿通部１８Ｃの長手方向の角部で構成されており、当該当接部４２は、鋭角を成している。このため、当接部４２が鈍角を成す場合と比較して、支持穴３４、４０の内壁面３４Ｂ、４０Ｂと挿通部１８Ｃの鈍角部との離間距離ＲＫを大きくし、当該挿通部１８Ｃで支持された支持部材１４の揺動範囲が広げられている。
【００４１】
また、挿通部１８Ｃが成す菱形形状の長手方向の対角線の長さ寸法ＬＮは、対応する支持穴３４、４０が成す楕円形状の短軸方向の内径寸法ＤＴより長く設定されている。これにより、当該支持軸１８で支持された支持部材１４が１８０度回転しないように構成されており、装飾物１２の裏面が表出する裏返しを防止できるように構成されている。
【００４２】
以上の構成に係る本実施形態の作用を説明する。
【００４３】
装飾物１２を保持した支持部材１４を枠部材１６に取り付ける際には、枠部材１６の内側に支持部材１４を配置する。そして、枠部材１６の各貫通穴２４、２６に支持軸１８を挿入するとともに、各貫通穴２４、２６を挿通した支持軸１８の挿通部１８Ｃを、支持部材１４の対応する支持穴３４、４０に挿入する。これにより、装飾物１２を有した支持部材１４を、各支持穴３４、４０に挿入された支持軸１８で支持することができる。
【００４４】
このように、支持軸１８を枠部材１６の外側から貫通穴２４、２６へ挿通して支持部材１４を枠部材１６に取り付けることができるので、支持部材から突出した支持軸を枠部材に形成された支持穴へ挿入する従来の構成と比較して、組付け加工が容易となる。
【００４５】
このとき、支持軸１８の挿通部１８Ｃには、挿通部１８Ｃの上側に位置する支持穴３４、４０の内壁面に当接する当接部４２が設けられており、この当接部は、角部で構成されている。このため、支持穴３４、４０の内壁面３４Ｂ、４０Ｂの上面を支持軸１８の角部からなる当接部４２で支持することで支持状態が不安定となる。これにより、枠部材１６の少しの動きでも、支持部材１４を支持点を中心として揺れ易くすることができる。
【００４６】
また、支持部材１４は、支持穴３４、４０の内壁面３４Ｂ、４０Ｂに当接部４２が下方から当接した状態で支持されている。このため、支持部材の回転棒が枠部材の円形穴に支持され支持部材が揺動する際に回転軸が円形穴の内壁面に沿って転がる構造上、回転軸が曲面を上るための力を要する従来と比較して、支持軸１８に対する支持部材１４の揺動を容易とすることができる。これにより、支持部材１４に支持された装飾物１２を揺動し易くすることができる。
【００４７】
また、支持軸１８の挿通部１８Ｃが挿入される支持穴３４、４０の内径寸法ＤＲ、ＤＬは、図３（Ｂ）に示したように、挿通部１８Ｃの挿入方向Ｓへ向かうに従って大きくなるように設定されており、各支持穴３４、４０は、外側へ向かうに従って縮径している。これにより、各支持穴３４、４０の外面側の開口縁部には、鋭角のエッジ３４Ａ、４０Ａが形成されており、挿通部１８Ｃの当接部４２を形成する稜線部分は、このエッジ３４Ａ、４０Ａに対して交差して当接する。これにより、挿通部１８Ｃの当接部４２と支持穴３４、４０のエッジ３４Ａ，４０Ａとが点接触するため、枠部材１６に対する支持部材１４の揺動方向に自由度を持たせることができる。
【００４８】
そして、挿通部１８Ｃが成す菱形形状の長手方向の対角線の長さ寸法ＬＮは、対応する支持穴３４、４０が成す楕円形状の短軸方向の内径寸法ＤＴより長く設定されている。これにより、当該支持軸１８で支持された支持部材１４の１８０度の回転を阻止し、装飾物１２の裏面が表出する裏返しを防止することができる。
【００４９】
また、支持軸１８の当接部４２で支持される支持穴３４、４０の支持位置は、装飾物１２を保持した支持部材１４の重心Ｇより上方に位置しており、支持部材１４の重心Ｇを支持位置より低くすることができる。このため、これによっても装飾物１２を保持した支持部材１４の裏返しを防止することができる。また、装飾物１２を保持した支持部材１４の重心Ｇと支持位置とが同高さの場合と比較して、装飾物１２を保持した支持部材１４を揺動し易くすることができる。
【００５０】
なお、本実施形態では、枠部材１６が、支持部材１４を包囲する円環状の場合について説明したが、この形状に限定されるものではなく、支持部材１４を支持できる形状であれば、どのような形状であってもよい。
【００５１】
以下に他の実施形態に係る装飾具について説明する。なお、第１実施形態と同一又は同等部分については同符号を付して説明を割愛する。
【００５２】
図４（Ｂ）は、第３実施形態に係る装飾具５０を示す図であり、本実施形態に係る装飾具５０では、枠部材１６が下方へ向けて開放されたＵ字状に形成されている点が第１実施形態と異なる。
【００５３】
また、図５（Ａ）は、第４実施形態に係る装飾具５２を示す図であり、本実施形態に係る装飾具５２では、枠部材１６が第１直線部５２Ａと第２直線部５２Ｂとからなる屈曲形状に形成された点で第３実施形態と異なる。
【００５４】
そして、図５（Ｂ）は、第５実施形態に係る装飾具５４を示す図であり、本実施形態に係る装飾具５４では、第１直線部５２Ａと第２直線部５２Ｂとが湾曲されている点で第４実施形態と異なる。
【００５５】
これらの実施形態であっても、第１実施形態と同様の作用効果を奏することができる。
【符号の説明】
【００５６】
１０    装身具
１２    装飾物
１４    支持部材
１６    枠部材
１８    支持軸
１８Ｃ  挿通部
２４    右貫通穴
２６    左貫通穴
２８    台座部
３４    右支持穴
４０    左支持穴
４２    当接部
５０    装飾具
５２    装飾具
５４    装飾具
Ｇ    重心
【図１】
2018007951.tif 000003
【図２】
2018007951.tif 000004
【図３】
2018007951.tif 000005
【図４】
2018007951.tif 000006
【図５】
2018007951.tif 000007